(57)【特許請求の範囲】
【請求項１】
互いに反対方向に回動して露光用開口を開閉する２枚のシャッタ羽根と、
レリーズ操作に応答して正転した後、復帰バネの付勢により逆転して初期位置に戻る回動部材と、
一端側が前記回動部材に、他端側がシャッタ羽根に係合し、回動部材の正転により一方に揺動して２枚の羽根を同時に開き、回動部材の逆転により他方に揺動して２枚の羽根を同時に閉じるシャッタ駆動部材と、
前記回動部材とシャッタ駆動部材の一端側との係合部もしくはシャッタ駆動部材の他端側とシャッタ羽根との係合部に設けられ、シャッタ羽根による露光用開口の開き過程及び閉じ過程の各途中で一時的に所定の小絞りを維持するように制御するカム手段とからなることを特徴とするシャッタ装置。
【請求項２】
前記請求項１記載のシャッタ装置を用い、前記シャッタ羽根が全開した状態で得られる開放絞りのＦ値をＦ８より大きく設定するとともに、前記小絞りのＦ値をＦ１０より小さく設定し、前記露光用開口の前方に設けられた撮影レンズによるピント位置をほぼ６ｍに固定したことを特徴とするカメラ。
【請求項３】
前記露光用開口の開き過程又は閉じ過程の小絞りが維持されている期間中に、ストロボ発光が行われることを特徴とする請求項２記載のカメラ。
【発明の詳細な説明】
【０００１】
【発明の属する技術分野】
本発明は、ソフトフォーカス撮影を行うことができるシャッタ装置及びこれを用いたカメラに関するものである。
【０００２】
【従来の技術】
写真フイルムは交換可能であるが、ピント調節機構や露出調節機構を省略して安価に提供される簡易なカメラが市販されている。また、製造時に予め写真フイルムが装填されており、巻き戻し操作や写真フイルムパトローネの取り出しという面倒な操作を行うことなく、撮影終了後にそのまま現像取扱店に提出すれば、現像済みの写真フイルムとプリント写真とを受け取ることができる１回のみ使用可能な安価なカメラであるレンズ付きフイルムユニットが市販されている。
【０００３】
このようなカメラは、徹底した構造の簡単化、低コスト化が図られている。具体的には、撮影レンズは１個又は２個のレンズからなる簡易な固定焦点レンズであり、またシャッタ装置は、いわゆる蹴飛ばし式のシャッタ装置である。蹴飛ばし式シャッタは、回動式のシャッタ羽根を復帰バネで閉じ位置に付勢し、これを付勢方向と反対の方向に蹴飛ばすことでシャッタ羽根を往復回動させて、シャッタの開閉を行うものである。
【０００４】
一方、ポートレート撮影の方法の１つにソフトフォーカス撮影があり、一般のカメラでこれを行うには、撮影レンズの前部にソフトフォーカス専用のフィルタを装着する。これにより、撮影レンズに入射する光がわずかに乱反射して被写体の輪郭が少しハレーションを起こしたように白っぽくボケてソフトな印象のポートレート写真を得ることができる。
【０００５】
【発明が解決しようとする課題】
上述したソフトフォーカス専用のフィルタを用いるポートレート撮影では、ピント調節ができる一般のカメラでは好結果を得るが、ピント調節ができない固定焦点式の撮影レンズを用いた簡易なカメラでは、ピントのずれによるボケが重なり、きれいなボケにならないという問題点がある。
【０００６】
本発明は、上述したような問題点を解決するためになされたもので、簡易な撮影レンズでもポートレート撮影に好適なソフトフォーカス撮影を行うことができるシャッタ装置及びこれを用いたカメラを提供することを目的とする。
【０００７】
【課題を解決するための手段】
上記目的を達成するために、本発明のシャッタ装置は、互いに反対方向に回動して露光用開口を開閉する２枚のシャッタ羽根と、レリーズ操作に応答して正転した後、復帰バネの付勢により逆転して初期位置に戻る回動部材と、一端側が前記回動部材に、他端側がシャッタ羽根に係合し、回動部材の正転により一方に揺動して２枚の羽根を同時に開き、回動部材の逆転により他方に揺動して２枚の羽根を同時に閉じるシャッタ駆動部材と、前記回動部材とシャッタ駆動部材の一端側との係合部もしくはシャッタ駆動部材の他端側とシャッタ羽根との係合部に設けられ、シャッタ羽根による露光用開口の開き過程及び閉じ過程の各途中で一時的に所定の小絞りを維持するように制御するカム手段とからなるものである。
【０００８】
本発明のカメラは、前記シャッタ装置を用い、前記シャッタ羽根が全開した状態で得られる開放絞りのＦ値をＦ８より大きく設定するとともに、前記小絞りのＦ値をＦ１０より小さく設定し、前記露光用開口の前方に設けられた撮影レンズによるピント位置をほぼ６ｍに固定したものである。また、前記露光用開口の開き過程又は閉じ過程の小絞りが維持されている期間中に、ストロボ発光が行われるものである。
【０００９】
【発明の実施の形態】
図１に示すように、本発明を実施したレンズ付きフイルムユニット１１の前面には、ファインダ対物窓１２と、撮影レンズ１３を露呈する撮影窓１４とが設けられている。この撮影窓１４の横には、ストロボスイッチ１６が取り付けられており、その上方には、ストロボ発光窓１７が設けられている。ストロボスイッチ１６は、ストロボ充電をオンする位置とオフする位置との２位置間でスライド自在に取り付けられている。なお、前記撮影レンズ１３は、焦点距離ｆが３２ｍｍで、ピント位置がフイルム面から６ｍに固定してある。
【００１０】
レンズ付きフイルムユニット１１の上面にはシャッタボタン１８，フイルムカウンタ窓１９，ストロボ充電完了表示窓２１が形成されており、その背面には、巻き上げノブ２２と、ファインダ接眼窓（図３の符号２３参照）とが設けられている。
【００１１】
図２に示すように、レンズ付きフイルムユニット１１は、中央に露光部２６及びストロボ装置２７が設けられた本体基部２９と、その前後に被せられる前カバー３１及び後カバー３２とから構成されるユニット本体と、カートリッジ３３及びカートリッジ３３から引き出してロール形態にした写真フイルム３４とからなる。なお、本実施形態では、写真フイルム３４のフイルム感度をＩＳＯ４００とする。
【００１２】
カートリッジ３３及び写真フイルム３４は、本体基部２９に形成されたカートリッジ収納室２９ａ，フイルム収納室２９ｂにそれぞれレンズ付きフイルムユニット１１の製造時点で予め組み込まれる。後カバー３２の下方には、カートリッジ収納室２９ａ，フイルム収納室２９ｂの底部開口を光密に覆う底蓋３２ａ，３２ｂが一体に形成されている。底蓋３２ａは、撮影済みの写真フイルム３４が巻き込まれたカートリッジ３３を取り出すときに開放される。
【００１３】
巻き上げノブ２２は、カートリッジ収納室２９ａの上部に取り付けられており、その下面に一体に形成された巻上げ軸がカートリッジ３３のスプールに係合する。撮影ごとに巻上げノブ２２を回動操作することによって、撮影済みの写真フイルム３４は１コマ分ずつカートリッジ３３に巻き込まれる。このフイルム１コマ巻上げに連動して露光部２６に組み込まれたシャッタ機構が次回の撮影のためにチャージされ、またフイルム１コマ給送が完了すると露光部２６に組み込まれたロックレバーによって巻上げノブ２２の回動がロックされる。
【００１４】
露光部２６の上方には、シャッタ機構及び巻き上げ機構の他、ファインダ機構が組み付けられている。また、露光部２６の背面には、露光枠が形成されており、撮影位置に送られてきた写真フイルム３４の前面で１コマ分の露光範囲を制限する。
【００１５】
ストロボ装置２７は、メインコンデンサ３６，シンクロスイッチ３７，昇圧コイルなどの回路部品を取り付けた回路基板３８と、ストロボ放電管やリフレクタ等を含む発光部３９と、電源電池４１（図３参照）とからなる。回路基板３８には、回路パターンがプリントされるとともに、各種回路素子が取り付けられてストロボ回路が形成されている。回路基板３８の前面には、一対の接片４２が設けられている。前記シンクロスイッチ３７は、わずかに離間して向かい合った一対の接片３７ａ，３７ｂからなり、これらが接触（短絡）すると、シンクロスイッチ３７がオンになる。
【００１６】
回路基板３８の前面には、受け板４３を介してストロボスイッチ１６がスライド自在に取り付けられており、このストロボスイッチ１６の背面には、前記接片４２を導通させるための作動スイッチが取り付けられている。ストロボスイッチ１６をオン位置にスライドすると、この作動スイッチが各接片４２間を導通させてストロボ充電が開始される。
【００１７】
図３に示すように、露光部２６は、本体基部２９の前方に向かって角筒状に突出して形成された暗箱基部４８がベースとなっており、その前面に露光用開口４８ａが形成されている。暗箱基部４８の前方には、回動レバー５１、シャッタ駆動レバー５２、２枚のシャッタ羽根５３，５４が設けられており、これらは、撮影レンズ１３が設けられたシャッタカバー５６によって覆われる。
【００１８】
回動レバー５１は、暗箱基部４８の前面に設けられた軸５８に取り付けられ、その軸５８を中心軸として回動自在とされ、正面から見て反時計方向に逆転させるように、復帰バネ５９が取り付けられている。回動レバー５１は、レリーズ操作により、その上方に設けられた被蹴飛ばし部５１ａが蹴飛ばしレバー６０によって蹴飛ばされて、復帰バネ５９の付勢に抗して時計方向に正転する。回動レバー５１は、正転が終了する終了位置までくると、ストッパ６１（図４（Ｄ）参照）に当接してから復帰バネ５９の付勢によって初期位置に向かって逆転する。
【００１９】
回動レバー５１の下部には、シャッタ駆動レバー５２と係合するカムピン５１ｂが設けられており、このカムピン５１ｂがシャッタ駆動レバー５２の一端に形成されたカム孔５２ｃに係合する。シャッタ駆動レバー５２は、取付穴５２ｂでピン６３に揺動自在に取り付けられており、回動レバー５１が正転，逆転されると、カムピン５１ｂ及びカム孔５２ｃによりシャッタ駆動レバー５２がピン６３を中心に揺動する。
【００２０】
シャッタ駆動レバー５２の下部には、駆動ピン５２ａが設けられており、これがシャッタ羽根５３，５４に形成されたカム孔５３ｃ，５４ｃに係合している。２枚のシャッタ羽根５３，５４は、各中央部に形成された穴５３ｂ，５４ｂと、シャッタカバー５６に設けられたピン６４とが係合して、ピン６４を中心軸として回動自在に取り付けられる。
【００２１】
シャッタ駆動レバー５２が揺動すると、駆動ピン５２ａがカム孔５３ｃ，５４ｃと協働してシャッタ羽根５３，５４を同時に反対方向に回動する。ただし、カム孔５３ｃ，５４ｃの中間部分の形状が駆動ピン５２ａの動きに沿った形状になっているので、駆動ピン５２ａがカム孔５３ｃ，５４ｃの中間部分を移動中は、シャッタ羽根５３，５４は回動しない（図４（Ｂ），（Ｃ）参照）。
【００２２】
穴５３ｂ，５４ｂを中心にカム孔５３ｃ，５４ｃの反対側のシャッタ羽根５３，５４には、それぞれ円弧状の切欠き部５３ａ，５４ａが形成されており、この切欠き部５３ａ，５４ａに露光用開口４８ａが区画されて絞りが形成される。上述したように、駆動ピン５２ａがカム孔５３ｃ，５４ｃの中間部分を移動している間は、シャッタ羽根５３，５４は回動しないため、この間は露光用開口４８ａが切欠き部５３ａ，５４ａに区画されて形成されたＦ１１の小絞り開口５５（図４（Ｂ），（Ｃ）参照）のままになる。この小絞り開口５５は、切欠き部５３ａ，５４ａの形状によりほぼ真円になる。この状態から更にシャッタ羽根５３，５４が回動して回動レバー５１がストッパ６１に当接した瞬間は、露光用開口４８ａが全開した状態になってＦ５．６の開放絞りになる。
【００２３】
回動レバー５１の被蹴飛ばし部５１ａの脇には、回動レバー５１の回動に伴ってシンクロスイッチ３７の接片３７ａを接片３７ｂに押しつけてシンクロスイッチ３７をオンする接片押圧部５１ｃが設けられている。この接片押圧部５１ｃがシンクロスイッチ３７をオンするタイミングは、回動レバー５１が正転中でシャッタ羽根５３，５４が回動せず、切欠き部５３ａ，５４ａが小絞り開口５５を形成している間に合わせてある。なお、図４に示すように、上方の接片３７ａは、下方の接片３７ｂより長くなっており、かつ接片押圧部５１ｃの先端が尖っていて上部が円弧状をしているため、回動レバー５１の正転時には、接片押圧部５１ｃが接片３７ａの先端部に係合してこれを下方に押し下げて接片３７ｂに接触させるが、回動レバー５１の逆転時には、接片押圧部５１ｃは接片３７ｂに係合せず、接片３７ａをわずかに上方に押し上げるのみで、接片３７ｂを接片３７ａに接触させることはない。
【００２４】
次に、上記構成の作用について図４及び図５を参照しながら説明する。本発明を実施したレンズ付きフイルムユニット１１は、晴天時の順光撮影の場合を除いて、夜間や室内などで撮影する場合に限らず、ストロボ撮影を前提とする。したがって、撮影を行う前に、まず、ストロボスイッチ１６をオン位置にスライドしてストロボ充電を開始する。
【００２５】
次に、巻き上げノブ２２を回動すると、写真フイルム３４が１コマ分巻き上げられて露光枠にセットされる。この巻き上げ時にシャッタチャージが行われ、それとともに巻き上げノブ２２の回動がロックされる。この状態では、駆動ピン５２ａがカム孔５３ｃ，５４ｃの一端にあって、図４（Ａ）に示すように、シャッタ羽根５３，５４が露光用開口４８ａを閉じた状態になっている。
【００２６】
被写体距離が約３ｍとなるようにフレーミングした後、シャッタボタン１８を押し下げる。これにより、蹴飛ばしレバー６０が被蹴飛ばし部５１ａを蹴飛ばし、回動レバー５１が正転を開始する。この正転により、カムピン５１ｂがカム孔５２ｃの内壁面を押圧してシャッタ駆動レバー５２を反時計方向に揺動させる。この揺動に伴って駆動ピン５２ａが変位してシャッタ羽根５３，５４が開き動作を開始し、露光用開口４８ａが急速にその中心位置から開かれていく。
【００２７】
この開き動作の開始により、露光用開口４８ａから暗箱内部に被写体光が入射して、写真フイルム３４への露光が開始される。回動レバー５１の回動に伴ってシャッタ駆動レバー５２の揺動は継続されているが、シャッタ羽根５３，５４の開き動作は、図５に示すように、最初の急速な開放動作の後、駆動ピン５２ａがカム孔５３ｃ，５４ｃの中間部に達し、切欠き部５３ａ，５４ａが小絞り開口５５を形成すると、絞りがＦ１１のまま一時的に停止される（図４（Ｂ），（Ｃ）参照）。この状態は、駆動ピン５２ａがカム孔５３ｃ，５４ｃの中間部を抜けるまで約３〜４ｍｓｅｃ継続される。
【００２８】
小絞り開口５５が形成された直後に回動レバー５１の接片押圧部５１ｃが接片３７ａを接片３７ｂに接触させ、シンクロスイッチ３７がオンにされてストロボ発光部１７からストロボ光が照射される。小絞り開口５５では、ピント位置が６ｍに設定された撮影レンズ１３の被写体距離３ｍにおける錯乱円直径が約０．０１５ｍｍ程度になるから、被写体はほぼシャープに露光される。なお、図５に示す稲妻マークαは、ストロボ光の発光タイミングを示す。また、ハッチングβは、写真フイルム３４への露光量を示す。
【００２９】
この後、図４（Ｃ）に示す状態から、更にシャッタ駆動レバー５２の揺動が継続され、駆動ピン５２ａがカム孔５３ｃ，５４ｃの中間部を抜けてカム孔５３ｃ，５４ｃの奥（ピン６４側）に向かって移動されると、シャッタ羽根５３，５４は急速に開いてゆき、露光用開口４８ａの全体が露呈され、Ｆ５．６の開放絞りになる（図４（Ｄ）参照）。
【００３０】
回動レバー５１は、ストッパ６１に当接してから、復帰バネ５９の付勢によって初期位置に向かって逆転を開始する。開放絞りが維持されている時間は、約１／６０秒である。この開放絞りでは、ピント位置が６ｍに設定された撮影レンズ１３の被写体距離３ｍにおける錯乱円直径が約０．０３ｍｍ程度になるから、被写体はややボケた状態で露光される。
【００３１】
回動レバー５１の逆転により、シャッタ羽根５３，５４は、図４（Ｄ）に示す状態から同図（Ｃ）に示す状態に至り、同図（Ｂ）に示す状態までの間、Ｆ１１の小絞り開口５５が維持される。この間は、回動レバー５１の正転時と同様に、約３〜４ｍｓｅｃであるが、接片押圧部５１ｃがシンクロスイッチ３７をオンにしないため、ストロボ光は発光しない。したがって、晴天時を除いて、この間での露光は撮影にほとんど影響しない。更に回動レバー５１の逆転の継続によるシャッタ駆動レバー５２の揺動により露光用開口４８ａは閉じられる（同図（Ａ））。
【００３２】
図５に示すように、Ｆ１１における平均露光時間ｔ１は約１／３５秒，Ｆ５．６における平均露光時間ｔ２は約１／６０秒であり、全体の平均露光時間ｔ３は約１／５０秒になる。なお、この全体の平均露光時間ｔ３は、シャッタ羽根５３，５４の開き過程でのＦ１１における中間点から閉じ過程でのＦ１１における中間点までの時間としている。このように、Ｆ１１の小絞り開口５５によるシャープな画像と、Ｆ５．６の開放絞りによるややボケた画像とが重ね合わされて露光されるから、ポートレート撮影に好適な、芯があってかつ柔らかな撮影画像を得ることができる。なお、撮影環境としては、ストロボ効果のある夕方や曇り日での撮影が適している。晴天時に撮影を行う場合には、ストロボ効果がある逆光又は半逆光で撮影を行うのがよい。
【００３３】
図５において、前記Ｆ１１の小絞り開口５５における平均露光時間ｔ１は、シャッタ羽根５３，５４が露光用開口４８ａを開き始める露光開始位置Ｐ１から小絞り開口５５を構成する位置Ｑ１に至る上り坂７１の中点Ｓ１を起点とし、回動レバー５１が逆転し、シャッタ羽根５３，５４がＦ１１の位置Ｑ２から露光用開口４８ａを閉じる露光終了位置Ｐ２に至る下り坂７２の中点Ｓ２を終点とする時間である。なお、全体の平均露光時間は、上述したように、開き過程でのＦ１１における中間点Ｓ３から閉じ過程でのＦ１１における中間点Ｓ４までの時間とする。
【００３４】
晴天時に順光撮影を行う場合には、ストロボ光の効果はほとんどないため、ストロボスイッチ１６をオフ位置にしたままで撮影を行ってもよい。この場合には、被写体が十分に明るいため、シャッタ羽根５３，５４が戻る際のＦ１１においても画像が写真フイルム３４に露光される。このため、被写体が撮影途中で動くと、二重露光のようになってきれいなポートレート写真が得られないから、撮影中は動かないように被写体に協力してもらう必要がある。
【００３５】
以上説明した実施形態では、撮影レンズの焦点距離ｆを３２ｍｍとしたが、例えば５０ｍｍとしてもよい。この場合には、ポートレート撮影では、一般に４〜４．５ｍ程度で撮影を行うことが多い。したがって、上記実施形態と同様に、撮影レンズのピント位置を６ｍとすると、被写体距離４．３ｍにおける錯乱円直径は、Ｆ１１の小絞りで約０．０１５ｍｍ，Ｆ５．６の開放絞りで約０．０３ｍｍとなって、上記実施形態と同様の撮影結果を得る。
【００３６】
また、上記実施形態では、回動レバーの正転時（シャッタ羽根が開く途中）の小絞りでストロボ光を発光するようにしたが、回動レバーの逆転時（シャッタ羽根が閉じる途中）の小絞りでストロボ光を発光させてもよい。また、小絞り開口がほぼ真円になるようにシャッタ羽根の切欠きを形成したが、本発明はこれに限定されず、真円に近い形状であれば、例えば六角形等でもよい。
【００３７】
また、上記実施形態では、開放絞りのＦ値をＦ５．６，小絞りのＦ値をＦ１１としたが、本発明はこれに限定されず、例えば開放絞りのＦ値がＦ８より大きく、小絞りのＦ値がＦ１０より小さければ、任意の絞り値を選択できる。また、小絞りでの平均露光時間を約１／３５秒，開放絞りでの平均露光時間を約１／６０秒とし、全体の平均露光時間を１／５０秒としたが、本発明はこれに限定されず、更に高感度な写真フイルム（例えばＩＳＯ８００やＩＳＯ１６００）を用いて、例えば小絞りでの平均露光時間を約１／５０秒，開放絞りでの平均露光時間を約１／１００秒で全体の平均露光時間を約１／７０秒としてもよい。
【００３８】
また、上記実施形態では、シャッタ羽根の開き途中と閉じ途中とで小絞りを形成するために、シャッタ羽根のカム孔の中間部をシャッタ駆動レバーの駆動ピンの軌道と一致するように形成したが、本発明はこれに限定されず、シャッタ駆動レバーのカム孔の中間部を回動レバーのカムピンの軌道と一致するように形成するようにしてもよい。
【００３９】
また、上記実施形態は、レンズ付きフイルムユニットであったが、本発明はこれに限定されず、写真フイルムは交換できるが、ピント調節機構や露出調節機構を省略した簡易なカメラでもよい。また、ピント調節機構を備えているコンパクトカメラでも、本発明のシャッタ装置を有し、所定の撮影距離，例えば６ｍにセットしたまま撮影を行えば、本発明に係るソフトフォーカス撮影の効果を得ることができる。
【００４０】
【発明の効果】
以上詳細に説明したように、本発明のシャッタ装置は、シャッタ羽根による露光用開口の開き過程及び閉じ過程の各途中で一時的に所定の小絞りを維持するように制御するので、小絞りによる芯のある画像と開放絞りによるややボケた画像とが重ね合わせて露光され、ポートレート撮影に好適な良好なソフトフォーカス撮影を行うことができる。
【００４１】
本発明のカメラは、前記シャッタ装置を用い、シャッタ羽根が全開した状態で得られる開放絞りのＦ値をＦ８より大きく設定するとともに、小絞りのＦ値をＦ１０より小さく設定し、撮影レンズによるピント位置をほぼ６ｍとしたので、簡易な構成で確実に小絞りによる芯のある画像と開放絞りによるややボケた画像とが重ね合わせて露光され、ポートレート撮影に好適な良好なソフトフォーカス撮影を行うことができる。また、前記露光用開口の開き過程又は閉じ過程の小絞りが維持されている期間中にストロボ発光が行われるので、小絞りでストロボ光を照射して露光されたシャープな画像と開放絞りによるややボケた画像とが重ね合わせて露光され、ポートレート撮影に好適な良好なソフトフォーカス撮影を行うことができる。
【図面の簡単な説明】
【図１】レンズ付きフイルムユニットの外観を示す斜視図である。
【図２】レンズ付きフイルムユニットの分解斜視図である。
【図３】露光部の分解斜視図である。
【図４】回動レバー，シャッタ駆動レバー，シャッタ羽根の動作を示す説明図である。
【図５】シャッタ羽根の開閉による写真フイルムへの露光量の変化を示すグラフである。
【符号の説明】
１１  レンズ付きフイルムユニット
１３  撮影レンズ
２６  露光部
４８ａ  露光用開口
５１  回動レバー
５２  シャッタ駆動レバー
５２ａ  駆動ピン
５２ｃ，５３ｃ，５４ｃ  カム孔
５３，５４  シャッタ羽根
５３ａ，５４ａ  切欠き部
５５  小絞り開口
【図１】
0003695745.tif 000002
【図２】
0003695745.tif 000003
【図３】
0003695745.tif 000004
【図４】
0003695745.tif 000005
【図５】
0003695745.tif 000006